(57)【要約】【課題】無線帯域の消費、端末の電力消費、ネットワーク処理負荷を削減し、また、データ通信の遅延も減少させる。【解決手段】ゲートウェイ１１０は、無線端末１０１が無線基地局制御装置１０５に位置登録する度に、あるいは、無線端末１０１から上りのデータ通信時に、当該無線端末１０１に対する、呼び出し省略期限を更新する。また、ゲートウェイ１１０は、無線端末１０１への下りのデータ通信時に、呼び出し省略期限内である場合には、無線端末が前回と同じ基地局圏内に存在するものとして、呼び出しを行わず、直接、無線基地局を指定してデータ送信する一方、呼び出し省略期限を超えている場合には、無線基地局制御装置に対して無線端末の呼び出し処理を行い、データを送信する。【選択図】図１
2010062851.tif 000002
【特許請求の範囲】
【請求項１】
無線端末と、前記無線端末をネットワークに接続する複数の無線基地局と、１つ以上の前記無線基地局のカバーエリアをページングエリアとして管理する無線基地局制御装置と、前記無線基地局制御装置と接続され、前記無線端末の存在するページングエリアを管理するデータベースと、前記無線基地局制御装置及び前記データベースと接続され、他のネットワークとの相互接続を行うゲートウェイとから構成される無線通信システムにおいて、
前記ゲートウェイは、
前記無線端末毎に最後に接続した無線基地局と呼び出し省略期限とを保持する無線端末情報保持手段と、
前記無線端末宛の送信データが到着した際に、当該無線端末の呼び出し省略期限内であるか否かを判定する判定手段と、
前記判定手段により呼び出し省略期限内であると判定された場合、前記無線端末情報保持手段に保持された、前記最後に接続した無線基地局を介して前記無線端末に対して前記送信データを送信し、前記判定手段により呼び出し省略期限を過ぎていると判定された場合、前記データベースに前記無線端末のページングエリアを問い合わせ、該問い合わせに応答されたページングエリアを管理する無線基地局制御装置に対して無線端末呼び出しを実施し、該無線端末呼び出しに応答した無線基地局制御装置を介して前記無線端末に対して前記送信データを送信するデータ送信手段と
を備えることを特徴とする無線通信システム。
【請求項２】
前記ゲートウェイは、前記無線端末が自身が保持するページングエリア情報と異なるページングエリア情報を前記無線基地局から受信した際に送信する位置登録要求を、前記無線基地局、前記無線基地局制御装置を介して受信すると、前記無線端末情報保持手段に保持されている、当該無線端末に対する呼び出し省略期限を新たな呼び出し省略期限に更新するとともに、前記最後に接続した無線基地局を、前記位置登録要求に含まれる無線基地局へと更新する無線端末情報更新手段を更に備えることを特徴とする請求項１記載の無線通信システム。
【請求項３】
前記ゲートウェイは、前記無線端末が送信するデータを前記無線基地局、前記無線基地局制御装置を介して受信すると、前記無線端末情報保持手段に保持されている、当該無線端末に対する呼び出し省略期限を新たな呼び出し省略期限に更新するとともに、前記最後に接続した無線基地局を、前記データを転送した前記無線基地局へと更新する無線端末情報更新手段を更に備えることを特徴とする請求項１記載の無線通信システム。
【請求項４】
前記ゲートウェイは、前記無線端末がデータを受信した際に送信するデータ送信応答信号を前記無線基地局、前記無線基地局制御装置を介して受信すると、前記無線端末情報保持手段に保持されている、当該無線端末に対する呼び出し省略期限を新たな呼び出し省略期限に更新するとともに、前記最後に接続した無線基地局を、前記データ送信応答信号を転送した前記無線基地局へと更新する無線端末情報更新手段を更に備えることを特徴とする請求項１記載の無線通信システム。
【請求項５】
無線端末をネットワークに接続する複数の無線基地局のそれぞれのカバーエリアをページングエリアとして無線基地局制御装置で管理し、前記無線端末の存在するページングエリアをデータベースで管理し、前記無線基地局制御装置及び前記データベースと接続されたゲートウェイで他のネットワークとの相互接続を行う無線システムでの無線通信方法において、
前記無線端末毎に最後に接続した無線基地局と呼び出し省略期限とを保持するステップと、
前記無線端末宛の送信データが到着した際に、当該無線端末の呼び出し省略期限内であるか否かを判定するステップと、
前記呼び出し省略期限内であると判定された場合、前記最後に接続した無線基地局を介して前記無線端末に対して前記送信データを送信するステップと、
前記呼び出し省略期限を過ぎていると判定された場合、前記データベースにページングエリアを問い合わせ、該問い合わせに応答されたページングエリアを管理する無線基地局制御装置に対して無線端末呼び出しを実施し、該無線端末呼び出しに応答した無線基地局を介して前記無線端末に対して前記送信データを送信するステップと
を含むことを特徴とする無線通信方法。
【請求項６】
前記無線端末が自身が保持するページングエリア情報と異なるページングエリア情報を前記無線基地局から受信した際に送信する位置登録要求を、前記無線基地局、前記無線基地局制御装置を介して受信すると、前記無線端末情報保持手段に保持されている、当該無線端末に対する呼び出し省略期限を新たな呼び出し省略期限に更新するとともに、前記最後に接続した無線基地局を、前記位置登録要求に含まれる無線基地局へと更新するステップを更に備えることを特徴とする請求項５記載の無線通信方法。
【請求項７】
前記無線端末が送信するデータを前記無線基地局、前記無線基地局制御装置を介して受信すると、前記無線端末情報保持手段に保持されている、当該無線端末に対する呼び出し省略期限を新たな呼び出し省略期限に更新するとともに、前記最後に接続した無線基地局を、前記データを転送した前記無線基地局へと更新するステップを更に備えることを特徴とする請求項５記載の無線通信方法。
【請求項８】
前記無線端末がデータを受信した際に送信するデータ送信応答信号を前記無線基地局、前記無線基地局制御装置を介して受信すると、前記無線端末情報保持手段に保持されている、当該無線端末に対する呼び出し省略期限を新たな呼び出し省略期限に更新するとともに、前記最後に接続した無線基地局を、前記データ送信応答信号を転送した前記無線基地局へと更新するステップを更に備えることを特徴とする請求項５記載の無線通信方法。
【発明の詳細な説明】
【技術分野】
【０００１】
本発明は、無線通信システム、及び無線通信方法に関する。
【背景技術】
【０００２】
従来より、移動通信を行う無線端末システムにおいては、無線基地局が複数の無線基地局のうち、どの無線基地局のエリアに在圏するかを把握するために、複数の無線基地局のエリアに対応して構成されるページングエリア単位で、無線基地局位置の登録を行う。無線端末の現在位置を示す位置情報は、端末を識別するための無線端末ＩＤとともに、ネットワーク上のデータベースにページングエリア単位で記憶される。
【０００３】
ネットワーク上のＩＰ端末から無線端末へ下りのデータを送信する場合、どの無線基地局のエリアに無線端末が存在するかが判らないため、データベースを検索して当該無線端末が位置登録されたページングエリアを特定した上で、該特定したページングエリアに存在する無線基地局に対して端末呼び出し要求を送り、各無線基地局は、無線端末を呼び出すために、自身のエリアに対して端末呼び出し要求を送信する（例えば、非特許文献１参照）。
【０００４】
無線端末は、無線基地局からの呼び出し要求を受信すると、応答メッセージを無線基地局へ送信する。このようにして、ページングエリア内の複数の無線基地局から、下りのデータを送信すべき無線基地局が特定される。その後、データ送信先の無線基地局と上記特定された無線基地局とを介して、ＩＰ端末から当該無線端末に対してデータ送信が行われる。
【非特許文献１】移動通信ネットワーク技術  電子情報通信学会  ＩＳＢＮ４−８８５５２−２１２−９ｐｐ．４−６
【発明の開示】
【発明が解決しようとする課題】
【０００５】
上述した従来技術では、下りのデータ通信を行う前に必ず呼び出し処理を行い、ページングエリア内の複数の無線基地局から、無線端末が在圈している無線基地局を特定し、特定した無線基地局を通して無線端末ヘデータを送信する。しかしながら、データ通信が連続している場合に、無線端末が当該無線基地局から移動して、他の無線基地局へ移動することは稀である。このため、複数の下りデータを送信する場合や、端末数が多い楊合、下りデータ通信を行う度に毎回呼び出し処理を行うと、呼び出しの度に制御信号の増加に伴う無線帯域の利用効率低下、無線端末の電力消費、無線基地局を含めたネットワーク装置での処理が生じることによるネットワーク処理負荷の増大、データ通信の遅延増加といった問題が生じる。
【０００６】
特に、無線基地局のエリアが大きく、無線端末の移動量がそれほど大きくない場合に呼び出しの無駄が大きくなる。この場合、呼び出し処理の目的がページングエリア内の複数の無線基地局から、無線端末が在圈している無線基地局を特定することだとすると、ある無線基地局を通してデータ通信が行われている状況から、その無線端末が在圈している無線基地局を特定できていることを示している。そこで、データ通信が連続している場合には、呼び出しを省略する方法を確立する必要がある。
【０００７】
本発明は、このような事情を考慮してなされたものであり、その目的は、呼び出し処理を省略することにより、無線帯域の消費、端末の電力消費、ネットワーク処理負荷を削減でき、また、データ通信の遅延も減少させることができる無線通信システム、及び無線通信方法を提供することにある。
【課題を解決するための手段】
【０００８】
上述した課題を解決するために、本発明は、無線端末と、前記無線端末をネットワークに接続する複数の無線基地局と、１つ以上の前記無線基地局のカバーエリアをページングエリアとして管理する無線基地局制御装置と、前記無線基地局制御装置と接続され、前記無線端末の存在するページングエリアを管理するデータベースと、前記無線基地局制御装置及び前記データベースと接続され、他のネットワークとの相互接続を行うゲートウェイとから構成される無線通信システムにおいて、前記ゲートウェイは、前記無線端末毎に最後に接続した無線基地局と呼び出し省略期限とを保持する無線端末情報保持手段と、前記無線端末宛の送信データが到着した際に、当該無線端末の呼び出し省略期限内であるか否かを判定する判定手段と、前記判定手段により呼び出し省略期限内であると判定された場合、前記無線端末情報保持手段に保持された、前記最後に接続した無線基地局を介して前記無線端末に対して前記送信データを送信し、前記判定手段により呼び出し省略期限を過ぎていると判定された場合、前記データベースに前記無線端末のページングエリアを問い合わせ、該問い合わせに応答されたページングエリアを管理する無線基地局制御装置に対して無線端末呼び出しを実施し、該無線端末呼び出しに応答した無線基地局制御装置を介して前記無線端末に対して前記送信データを送信するデータ送信手段とを備えることを特徴とする無線通信システムである。
【０００９】
本発明は、上記の発明において、前記ゲートウェイは、前記無線端末が自身が保持するページングエリア情報と異なるページングエリア情報を前記無線基地局から受信した際に送信する位置登録要求を、前記無線基地局、前記無線基地局制御装置を介して受信すると、前記無線端末情報保持手段に保持されている、当該無線端末に対する呼び出し省略期限を新たな呼び出し省略期限に更新するとともに、前記最後に接続した無線基地局を、前記位置登録要求に含まれる無線基地局へと更新する無線端末情報更新手段を更に備えることを特徴とする。
【００１０】
本発明は、上記の発明において、前記ゲートウェイは、前記無線端末が送信するデータを前記無線基地局、前記無線基地局制御装置を介して受信すると、前記無線端末情報保持手段に保持されている、当該無線端末に対する呼び出し省略期限を新たな呼び出し省略期限に更新するとともに、前記最後に接続した無線基地局を、前記データを転送した前記無線基地局へと更新する無線端末情報更新手段を更に備えることを特徴とする。
【００１１】
本発明は、上記の発明において、前記ゲートウェイは、前記無線端末がデータを受信した際に送信するデータ送信応答信号を前記無線基地局、前記無線基地局制御装置を介して受信すると、前記無線端末情報保持手段に保持されている、当該無線端末に対する呼び出し省略期限を新たな呼び出し省略期限に更新するとともに、前記最後に接続した無線基地局を、前記データ送信応答信号を転送した前記無線基地局へと更新する無線端末情報更新手段を更に備えることを特徴とする。
【００１２】
また、上述した課題を解決するために、本発明は、無線端末をネットワークに接続する複数の無線基地局のそれぞれのカバーエリアをページングエリアとして無線基地局制御装置で管理し、前記無線端末の存在するページングエリアをデータベースで管理し、前記無線基地局制御装置及び前記データベースと接続されたゲートウェイで他のネットワークとの相互接続を行う無線システムでの無線通信方法において、前記無線端末毎に最後に接続した無線基地局と呼び出し省略期限とを保持するステップと、前記無線端末宛の送信データが到着した際に、当該無線端末の呼び出し省略期限内であるか否かを判定するステップと、前記呼び出し省略期限内であると判定された場合、前記最後に接続した無線基地局を介して前記無線端末に対して前記送信データを送信するステップと、前記呼び出し省略期限を過ぎていると判定された場合、前記データベースにページングエリアを問い合わせ、該問い合わせに応答されたページングエリアを管理する無線基地局制御装置に対して無線端末呼び出しを実施し、該無線端末呼び出しに応答した無線基地局を介して前記無線端末に対して前記送信データを送信するステップとを含むことを特徴とする無線通信方法である。
【００１３】
本発明は、上記の発明において、前記無線端末が自身が保持するページングエリア情報と異なるページングエリア情報を前記無線基地局から受信した際に送信する位置登録要求を、前記無線基地局、前記無線基地局制御装置を介して受信すると、前記無線端末情報保持手段に保持されている、当該無線端末に対する呼び出し省略期限を新たな呼び出し省略期限に更新するとともに、前記最後に接続した無線基地局を、前記位置登録要求に含まれる無線基地局へと更新するステップを更に備えることを特徴とする。
【００１４】
本発明は、上記の発明において、前記無線端末が送信するデータを前記無線基地局、前記無線基地局制御装置を介して受信すると、前記無線端末情報保持手段に保持されている、当該無線端末に対する呼び出し省略期限を新たな呼び出し省略期限に更新するとともに、前記最後に接続した無線基地局を、前記データを転送した前記無線基地局へと更新するステップを更に備えることを特徴とする。
【００１５】
本発明は、上記の発明において、前記無線端末がデータを受信した際に送信するデータ送信応答信号を前記無線基地局、前記無線基地局制御装置を介して受信すると、前記無線端末情報保持手段に保持されている、当該無線端末に対する呼び出し省略期限を新たな呼び出し省略期限に更新するとともに、前記最後に接続した無線基地局を、前記データ送信応答信号を転送した前記無線基地局へと更新するステップを更に備えることを特徴とする。
【発明の効果】
【００１６】
この発明によれば、無線端末毎に最後に接続した無線基地局と呼び出し省略期限とを保持し、無線端末宛の送信データが到着した際に、当該無線端末の呼び出し省略期限内である場合、最後に接続した無線基地局を介して無線端末に対して送信データを送信し、呼び出し省略期限を過ぎていると判定された場合、無線端末のページングエリアを問い合わせ、該問い合わせに応答されたページングエリアを管理する無線基地局制御装置に対して無線端末呼び出しを実施し、該無線端末呼び出しに応答した無線基地局制御装置を介して無線端末に対して送信データを送信するようにしたので、不要な呼び出し処理を行わないため、無線帯域の消費、端末の電力消費、無線基地局を含めたネットワーク装置での処理を削減でき、また、データ通信の遅延も減少させることができる。
【発明を実施するための最良の形態】
【００１７】
以下、本発明の一実施形態を、図面を参照して説明する。
【００１８】
本発明では、通信を開始してしばらくは無線端末が大きく移動することが少ない点、また、連続的にデータ送信が行われる点に着目し、データ送受信が発生してから一定期間は、端末呼び出しを行わないよう制御することを特徴としている。具体的には、データ送信を行う端末が存在するネットワークと無線ネットワークとを接続するゲートウェイにおいて、端末毎に一定期間の呼び出し省略期限を管理し、データ送信タイミングがこの期限内であれば、無線端末が前回と同じ基地局圏内に存在するものとして、呼び出しを行わず、直接、位置登録されている無線基地局を指定してデータ送信する。また、下りデータ送信や、上りデータ送信、位置登録をトリガとして呼び出し省略期限を更新する。これにより、無駄な制御情報の授受を抑制し、無線帯喊の利用効率の向上、端末の消費電力の削減、ネットワーク処理負荷の削減を実現する。
【００１９】
図１は、本発明の実施形態によるネットワーク全体の構成を示すブロック図である。図において、本実施形態によるネットワークは、無線端末１０１とそれを無線回線にて収容する無線基地局１０２、１０３、１０４、無線基地局１０２、１０３、１０４を制御する無線基地局制御装置１０５、１０７、無線端末１０１の在圈エリアを記憶するデータベース１０６、１０７、無線端末１０１と通信を行うＩＰ端末１１２からなる。
【００２０】
図１では、データベースが端末情報を複数台で分散管理する例を示すが、１つのデータベースであってもよい。無線基地局制御装置１０５、１０７は、各々、データベース１０６、１０８に対して必要に応じて端末情報を読み書きする。ゲートウェイ１１０は、無線基地局制御装置１０５、１０７とＩＰ端末１１２との間にあり、それらが属するネットワーク１０９、１１１を相互に接続している。また、ゲートウェイ１１０は、各データベース１０６、１０８に対して必要に応じて端末情報を読み書きする。ＩＰ端末１１２は、ゲートウェイ１１０と接続し、無線端末１０１とのデータをやり取りするエンド端末である。
【００２１】
図２は、本実施形態による、データベース１０６、１０８における無線端末情報テーブルを示す概念図である。本無線端末情報テーブルには、サービス中の全ての無線端末からの位置情報が記憶されている。位置情報は、無線端末ＩＤをキーとし、ページングエリア（ＰＡ）を識別するＰＡ−ＩＤと無線基地局ＩＤとからなる。なお、本発明においては、無線基地局ＩＤは必須というわけではない。
【００２２】
図３は、本実施形態による、ゲートウェイ１１０における無線端末情報テーブルを示す概念図である。本無線端末情報テーブルには、ゲートウェイ１１０で転送処理を行った、あるいは、転送処理を行っている無線端末毎に、その無線端末ＩＤと、無線端末の位置情報（無線基地局ＩＤ）と、その位置情報が生成されてから無効になるまでの期間（呼び出し省略期間）Ｔｄと、無効になる時刻（呼び出し省略期限）Ｔｏとが記載されている。つまり、無線端末情報テーブルは、無線端末ＩＤをキーに、無線基地局ＩＤ、呼び出し省略期限、呼び出し省略期間の項目を参照する形式となっている。なお、呼び出し省略期間は、全端末で共通とし、ゲートウェイ１１０の設定値としてもよい。
【００２３】
図４は、本実施形態による、無線端末１０１が位置登録する際の動作を説明するためのシーケンス図である。無線端末１０１は、無線基地局１０２から報知されるページングエリアＩＤを受信する（ステップＳａ１）。無線端末１０１は、無線基地局１０２から報知されたページングエリアＩＤが以前報知されたページングエリアＩＤと異なる場合、つまり、無線端末１０１がページングエリアをまたいで移動して、別のページングエリアの無線基地局に接続した場合（ステップＳａ２）、無線基地局１０２に位置登録要求を送信する（ステップＳａ３）。
【００２４】
位置登録要求を受け取った無線基地局１０２は、無線端末ＩＤと無線基地局ＩＤと当該無線端末のページングエリアＩＤとを無線基地局制御装置１０５に送信する（ステップＳａ４）。無線基地局制御装置１０５は、データベース１０６に位置登録要求を転送し（ステップＳａ５）、データベース１０６は、無線端末情報テーブルの当該無線端末ＩＤのエントリのＰＡ−ＩＤと無線基地局ＩＤとの項目を新しい情報に更新する（ステップＳａ６）。また、無線基地局制御装置１０５は、ゲートウェイ１１０に位置登録要求メッセージを送信する（ステップＳａ７）。ゲーウェア１１０は、自身が持つ無線端末情報テーブルの無線基地局ＩＤを、位置登録要求メッセージに記載の無線基地局ＩＤに更新するとともに、呼び出し省略期間＋現在時刻を計算し、呼び出し省略期限として更新する（ステップＳａ８）。
【００２５】
図５は、本実施形態による、上りのデータ通信時の動作を説明するためのシーケンス図である。ここでは、無線端末１０１からＩＰ端末１１２にユーザデータを送信する場合について説明する。まず、無線端末１０１は、無線基地局１０２にデータを送信する（ステップＳｂ１）。無線基地局１０２は、データに無線基地局ＩＤを追加して無線基地局制御装置１０５に送信する（ステップＳｂ２）。無線基地局制御装置１０５は、それをゲートウェイ１１０に転送する（ステップＳｂ３）。ゲートウェイ１１０は、自身が持つ無線端末情報テーブルの無線基地局ＩＤを、データに記載の無線基地局ＩＤに更新するとともに、呼び出し省略期間＋現在時刻を計算し、呼び出し省略期限として更新する（ステップＳｂ４）。また、ゲートウェイ１１０からＩＰ端末１１２にデータが送信され、ＩＰ端末１１２は、データを受信する（ステップＳｂ５）。
【００２６】
図６は、本実施形態による、下りのデータ通信時の動作を説明するためのシーケンス図である。ここでは、ＩＰ端末１１２から無線端末１０１へユーザデータが送信される場合について説明する。まず、ＩＰ端末１１２からゲートウェイ１１０に対して送信先の無線端末ＩＤを指定してデータが送信される（ステップＳｃ１）。ゲートウェイ１１０では、無線端末ＩＤで無線端末情報テーブルを検索し、当該無線端末の呼び出し省略期限を取得し、呼び出し省略期限と現在時刻を比較する（ステップＳｃ２）。そして、現在時刻が呼び出し省略期限より後の場合、すなわち、呼び出し省略期限に達している場合には、無線端末の呼び出し処理を行い、データを送信する（ステップＳｃ２のＮＯ）。一方、現在時刻が呼び出し省略期限より前の場合、すなわち、まだ呼び出し省略期限に達していない場合には、呼び出し処理をしないで、データ送信を送信する（ステップＳｃ２のＹＥＳ）。
【００２７】
次に、呼び出し処理について説明する。ゲートウェイ１１０は、データベース１０６にＰＡ検索要求を送信し（ステップＳｃ３）、データベース１０６は、無線端末情報テーブルを参照し、当該無線端末１０１のページングエリア（ＰＡ）を特定し、ＰＡ検索応答をゲートウェイ１１０に返す（ステップＳｃ４）。ゲートウェイ１１０は、ＰＡ検索応答で当該無線端末１０１のＰＡ−ＩＤを取得すると、そのページングエリア（ＰＡ）に属する無線基地局を制御している無線基地局制御装置１０５に対して、呼び出しデータ送信メッセージを送信する（ステップＳｃ５）。
【００２８】
無線基地局制御装置１０５は、当該ページングエリア（ＰＡ）に属する無線基地局を特定し、その無線基地局に対して、呼び出し要求を送信する（Ｓｃ６、Ｓｃ７）。図６では、当該ページングエリア（ＰＡ）に属する無線基地局は、無線基地局Ａと無線基地局Ｂであるとする。ページングエリア（ＰＡ）と無線基地局との関係は、データベース１０６もしくは無線基地局制御装置１０５で保持されている。また、ページングエリア（ＰＡ）と無線基地局との関係を無線端末によって変更する多重位置登録エリア方式を採用してもよい。無線基地局制御装置１０５からの呼び出し要求を受信した無線基地局Ａ、Ｂは、無線端末１０１に向けて呼び出し要求を送信する（ステップＳｃ８、Ｓｃ９）。呼び出し要求を受信した無線端末１０１は、無線基地局Ａに呼び出し応答を送信する（ステップＳｃ１０）。呼び出し応答を受信した無線基地局Ａは、無線基地局制御装置１０５に呼び出し応答を送信する（ステップＳｃ１１）。
【００２９】
呼び出し応答を受信した無線基地局制御装置１０５は、呼び出し応答の送信元の無線基地局（図６の場合、無線基地局Ａ）に対して、送信先の無線端末ＩＤとともに、データを送信する（ステップＳｃ１２）。データを受信した無線基地局Ａは、無線端末１０１に対してデータを送信する（ステップＳｃ１３）。データを受信した無線端末１０１は、データ応答を無線基地局Ａに送信する（ステップＳｃ１４）。データ応答を受信した無線基地局Ａは、無線基地局制御装置１０５に対して、無線基地局ＩＤとともにデータ応答を送信する（ステップＳｃ１５）。データ応答を受信した無線基地局制御装置１０５は、ゲートウェイ１１０に対して、無線基地局ＩＤとともにデータ応答を送信する（ステップＳｃ１６）。ゲートウエア１１０は、自身が持つ無線端末情報テーブルの無線基地局ＩＤを、データ送信応答に記載の無線基地局ＩＤに更新するとともに、呼び出し省略期間＋現在時刻を計算し、呼び出し省略期限として更新する（ステップＳｃ１７）。
【００３０】
一方、ゲートウェイ１１０がＩＰ端末１１２からデータ応答を受信した際、現在時刻が無線端末情報テーブルの呼び出し省略期限よりも前で合った場合、すなわち、まだ呼び出し省略期限に達していない場合には（ステップＳｃ２のＹＥＳ）、呼び出し処理を省略し、無線端末情報テーブルの当該無線端末１０１が在圏している無線基地局Ａが属する無線基地局制御装置１０５に端末ＩＤと在圈している無線基地局ＩＤとともに、データを送信する（ステップＳｃ１８）。無線基地局制御装置１０５は、指定された無線基地局Ａに対して、送信先の無線端末ＩＤとともに、データを送信する（ステップＳｃ１２）。データを受信した無線基地局Ａは、無線端末１０１に対してデータを送信する（ステップＳｃ１３）。
【００３１】
データを受信した無線端末１０１は、データ応答を無線基地局Ａに送信する（ステップＳｃ１４）。データ応答を受信した無線基地局Ａは、無線基地局制御装置１０５に対して、無線基地局ＩＤとともにデータ応答を送信する（ステップＳｃ１５）。データ応答を受信した無線基地局制御装置１０５は、ゲートウェイ１１０に対して、無線基地局ＩＤとともにデータ応答を送信する（ステップＳｃ１６）。ゲートウエア１１０は、自身が持つ無線端末情報テーブルの無線端末ＩＤを、データ送信応答に記載の無線基地局ＩＤに更新するとともに、呼び出し省略期間＋現在時刻を計算し、呼び出し省略期限として更新する（ステップＳｃ１７）。
【００３２】
このように、本実施形態では、呼び出し省略期間内に上り、下りのデータ通信があると、呼び出し省略期限が延長され、データ通信が連続している限り、下りデータ通信の呼び出しが省略される。但し、無線端末１０１の移動に対して、呼び出し省略期限を長くしすぎると、無線端末１０１が接続可能な無線基地局が変更されるため、呼び出しが省略された場合、下りデータを送信してもデータが無線端末１０１に送信できないことになり、無駄に無線帯域を浪費してしまうことになる。
【００３３】
図７は、本実施形態による、下りデータ通信が失敗した場合の動作を説明するためのシーケンス図である。無線基地局制御装置１０５は、指定された無線基地局１０２に対して、送信先の無線端末ＩＤとともに、データを送信する（ステップＳｄ１）。データを受信した無線基地局１０２は、無線端末１０１に対してデータを送信する（ステップＳｄ２）。このとき、無線基地局１０２から無線端末１０１ヘのデータ送信が失敗した場合、無線基地局１０２から無線基地局制御装置１０５に送信エラーの情報を付与したデータ応答が送信される（ステップＳｄ３）。無線基地局制御装置１０５は、この送信エラーのデータ応答をゲートウェイ１１０に送信する（ステップＳｄ４）。送信エラーのデータ応答を受信したゲートウェイ１１０は、自身の無線端末情報テーブルの当該無線端末１０１の呼び出し省略期限を、現在時刻、あるいは過去の時刻、あるいはＮＵＬＬにし、無線基地局ＩＤの情報を削除する（ステップＳｄ５）。
【００３４】
上述した実施形態によれば、特定の無線端末に連続してデータを送信する場合には、呼び出し処理を省略し、データ通信が下りのデータ送信から連続する場合には、最初の下りのデータ送信のみに呼び出し処理を行い、データ通信が上りのデータ通信から連続する場合には、下りのデータ通信が途中発生しても不要な呼び出し処理を行わないようにしたので、無線帯域の消費、端末の電力消費、無線基地局を含めたネットワーク装置での処理を削減でき、また、データ通信の遅延も減少させることができる。
【００３５】
なお、上述した実施形態では、無線端末とＩＰ端末との通信について説明したが、無線端末同士の通信においても同じように実施可能である。
【００３６】
また、上述したゲートウェイ１１０などによる各ステップを実現するためのプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００３７】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３８】
【図１】本発明の実施形態によるネットワーク全体の構成を示すブロック図である。
【図２】本実施形態による、データベース１０６、１０８における無線端末情報テーブルを示す概念図である。
【図３】本実施形態による、ゲートウェイ１１０における無線端末情報テーブルを示す概念図である。
【図４】本実施形態による、無線端末１０１が位置登録する際の動作を説明するためのシーケンス図である。
【図５】本実施形態による、上りのデータ通信時の動作を説明するためのシーケンス図である。
【図６】本実施形態による、下りのデータ通信時の動作を説明するためのシーケンス図である。
【図７】本実施形態による、下りデータ通信が失敗した場合の動作を説明するためのシーケンス図である。
【符号の説明】
【００３９】
１０１  無線端末
１０２、１０３、１０４  無線基地局
１０５、１０７  無線基地局制御装置
１０６、１０８  データベース
１０９  ネットワーク
１１０  ゲートウェイ
１１１  ネットワーク
１１２  ＩＰ端末
【図１】
2010062851.tif 000003
【図２】
2010062851.tif 000004
【図３】
2010062851.tif 000005
【図４】
2010062851.tif 000006
【図５】
2010062851.tif 000007
【図６】
2010062851.tif 000008
【図７】
2010062851.tif 000009